(57)【要約】【課題】受光カバーの表面において明るさのむらを低減可能な負荷制御装置を提供する。【解決手段】負荷制御装置１は、負荷を制御する制御部を有する本体部２と、本体部２に着脱可能である送信機３と、を備える。本体部２は、受光部６２と、受光カバー５４と、載置部５３とを備える。受光部６２は、送信機３から送信された光信号を受光する。受光カバー５４は受光部６２を覆う。載置部５３には受光カバー５４が載置される。受光カバー５４は、載置部５３側の部位にレンズを有する。載置部５３は、レンズと対向する対向部位５３０の一部に遮光部５３１を有している。遮光部５３１は、レンズと対向する対向部位５３０において遮光部５３１が設けられていない部位に比べて、光の透過率が低い。【選択図】図１
2019149254.tif 000002
【特許請求の範囲】
【請求項１】
負荷を制御する制御部を有する本体部と、
前記本体部に着脱可能である送信機と、を備え、
前記本体部は、
前記送信機から送信された光信号を受光する受光部と、
前記受光部を覆う受光カバーと、
前記受光カバーが配置される載置部と、を備え、
前記受光カバーは、前記載置部側の部位にレンズを有し、
前記載置部は、前記レンズと対向する対向部位の一部に遮光部を有し、
前記遮光部は、前記対向部位において前記遮光部が設けられていない部位に比べて、光の透過率が低い
負荷制御装置。
【請求項２】
前記本体部は、前記受光部を含む固定部と、ユーザの操作に応じて動作可能な状態で前記固定部に取り付けられる可動部とを有し、
前記固定部は、前記受光部に前記光信号が入射する入射方向と交差する平面において、前記受光部を囲む筒状のリブを有する
請求項１に記載の負荷制御装置。
【請求項３】
前記遮光部は、前記リブの少なくとも一部が挿入される孔を有する
請求項２に記載の負荷制御装置。
【請求項４】
前記送信機は、前記可動部に対して、前記載置部と並ぶように取り付けられ、
前記リブは、前記可動部に取り付けられた前記送信機からの距離が第１距離である第１部位と、前記可動部に取り付けられた前記送信機からの距離が前記第１距離よりも長い第２距離である第２部位とで厚みが異なる
請求項２又は３に記載の負荷制御装置。
【請求項５】
前記リブの一部に、前記入射方向に沿って延びる溝が設けられた
請求項２〜４のいずれか１項に記載の負荷制御装置。
【請求項６】
前記入射方向において、前記リブの前端が、前記遮光部の前面と同じ位置にあるか、又は、前記遮光部の前面よりも後側にある
請求項２〜５のいずれか１項に記載の負荷制御装置。
【請求項７】
前記受光カバーが前記送信機と同系色である
請求項１〜６のいずれか１項に記載の負荷制御装置。
【請求項８】
前記載置部の前記対向部位において前記遮光部の周囲に、前記受光カバー側に突出する突出部位を有する
請求項１〜７のいずれか１項に記載の負荷制御装置。
【発明の詳細な説明】
【技術分野】
【０００１】
本開示は、負荷制御装置に関する。より詳細には、本開示は、負荷を制御するための負荷制御装置に関する。
【背景技術】
【０００２】
従来、商用電源から負荷への電力供給を入切するスイッチ（負荷制御装置）があった（例えば特許文献１参照）。このスイッチは、スイッチ本体と、スイッチ本体に取り付けられるピアノハンドルと、ピアノハンドルの前面に着脱自在に取り付けられるワイヤレスリモコン（送信機）と、を備えている。スイッチ本体（本体部）の片側には、ワイヤレスリモコンから送信される光信号を受光する受光モジュール（受光部）が配置されている。ピアノハンドルには、受光モジュールに対向する部位に、ピアノハンドルを貫通する貫通孔が設けられている。また、ピアノハンドルには、透光性を有する受光カバーが貫通孔を覆うように取り付けられている。
【先行技術文献】
【特許文献】
【０００３】
【特許文献１】特開２００６−３３４９７号公報
【発明の概要】
【発明が解決しようとする課題】
【０００４】
特許文献１に記載のスイッチでは、ピアノハンドルに設けられた貫通孔は、前面視の大きさが受光モジュールよりも大きい矩形の孔である。そのため、受光カバーにおいて、ピアノハンドルに設けられた貫通孔に対向する部位と、それ以外の部位とで、受光カバーを前面から見たときの明るさにむらが発生しやすい、という問題があった。
【０００５】
本開示の目的は、受光カバーの表面において明るさのむらを低減可能な負荷制御装置を提供することにある。
【課題を解決するための手段】
【０００６】
本開示の一態様の負荷制御装置は、負荷を制御する制御部を有する本体部と、前記本体部に着脱可能である送信機と、を備える。前記本体部は、前記送信機から送信された光信号を受光する受光部と、前記受光部を覆う受光カバーと、前記受光カバーが配置される載置部と、を備える。前記受光カバーは、前記載置部側の部位にレンズを有する。前記載置部は、前記レンズと対向する対向部位の一部に遮光部を有する。前記遮光部は、前記対向部位において前記遮光部が設けられていない部位に比べて、光の透過率が低い。
【発明の効果】
【０００７】
本開示によれば、受光カバーの表面において明るさのむらを低減可能な負荷制御装置を提供することができる。
【図面の簡単な説明】
【０００８】
【図１】図１は、本開示の実施形態に係る負荷制御装置を前側から見た分解斜視図である。
【図２】図２は、同上の負荷制御装置が備えるハンドルの斜視図である。
【図３】図３は、同上の負荷制御装置を後側から見た分解斜視図である。
【図４】図４は、同上の負荷制御装置の施工状態を示す正面図である。
【図５】図５は、同上の負荷制御装置のブロック図である。
【図６】図６は、同上の負荷制御装置が備える受光カバーの裏面図である。
【図７】図７Ａは、同上の負荷制御装置のハンドルが操作されていない状態の部分断面図である。図７Ｂは、同上の負荷制御装置のハンドルが操作された状態の部分断面図である。
【図８】図８は、本開示の実施形態の変形例１に係る負荷制御装置の要部の正面図である。
【図９】図９は、本開示の実施形態の変形例２に係る負荷制御装置の要部の斜視図である。
【発明を実施するための形態】
【０００９】
（実施形態）
（１）概要
本実施形態に係る負荷制御装置１の概要について、図１〜図７Ｂを参照して説明する。
【００１０】
負荷制御装置１は、本体部２と、本体部２に着脱可能である送信機３と、を備える。
【００１１】
本体部２は、負荷２００（例えば照明負荷）を制御する制御部（本体側制御部６５）を有する。また、本体部２は、受光部６２と、受光カバー５４と、載置部５３とを備える。受光部６２は、送信機３から送信された光信号を受光する。受光カバー５４は受光部６２を覆う。載置部５３には受光カバー５４が載置される。
【００１２】
受光カバー５４は、載置部５３側の部位にレンズ５４１（図６参照）を有する。
【００１３】
載置部５３は、レンズ５４１と対向する対向部位５３０（図１参照）の一部に遮光部５３１を有している。
【００１４】
遮光部５３１は、レンズ５４１と対向する対向部位５３０において遮光部５３１が設けられていない部位（貫通孔５３２）に比べて、光の透過率が低い。
【００１５】
このように、載置部５３においてレンズ５４１と対向する対向部位５３０の一部に設けられた遮光部５３１は、対向部位５３０において遮光部５３１が設けられていない部位（貫通孔５３２）よりも光の透過率が低い。したがって、受光カバー５４の表面において、裏側にレンズ５４１が設けられている部位と、裏側にレンズ５４１が設けられていない部位とで、明るさのむらが低減できるので、受光カバー５４の表面において明るさのむらを低減可能な負荷制御装置１を提供できる。
【００１６】
以下の説明では、図１において「上」、「下」、「左」、「右」、「前」、「後」の矢印で示す通りに各方向を規定する。ただし、これらの方向は負荷制御装置１の設置方向を規定する趣旨ではない。また、図面中の各方向を示す矢印は説明のために表記しているに過ぎず、実体を伴わない。また、図１において対向部位５３０を示す二点鎖線は説明のために表記しているに過ぎず、実体を伴わない。
【００１７】
（２）詳細
（２．１）回路構成
負荷制御装置１の回路構成について図５を参照して説明する。
【００１８】
本実施形態の負荷制御装置１は、例えば照明負荷のような負荷２００の点灯／消灯を制御するために用いられる。
【００１９】
本体部２は、半導体スイッチ６１と、受光部６２と、操作検知部６３と、発光部６４と、本体側制御部６５と、接続端子６６１，６６２と、を備える。本実施形態の本体部２は、施工面に固定されるスイッチ本体４（固定部）と、ユーザ操作に応じて動作可能な状態でスイッチ本体４に取り付けられるハンドル５（可動部）とを備える（図１〜図３参照）。半導体スイッチ６１、受光部６２、操作検知部６３、発光部６４、本体側制御部６５、および接続端子６６１，６６２はスイッチ本体４に収納されている。
【００２０】
接続端子６６１と接続端子６６２との間には、例えば、商用電源のような交流電源３００と、照明負荷のような負荷２００とが直列に接続される。
【００２１】
半導体スイッチ６１は、例えばエンハンスメント形のｎチャネルＭＯＳＦＥＴ（Metal-Oxide-Semiconductor Field Effect Transistor）からなる２個のスイッチ素子６１１，６１２を備える。スイッチ素子６１１，６１２はゲート同士、ソース同士が互いに接続されており、スイッチ素子６１１のドレインは接続端子６６１に接続され、スイッチ素子６１２のドレインは接続端子６６２に接続されている。
【００２２】
受光部６２は、例えば赤外線を受光するフォトダイオードのような受光素子６２１（図１、図７Ａ、及び図７Ｂ参照）を備える。受光部６２は、送信機３から赤外線のような光信号（ワイヤレス信号）で送信された制御信号を受信する。つまり、本実施形態の受光部６２は、送信機３との間で光を媒体とした無線通信を行う。
【００２３】
操作検知部６３は、例えばモーメンタリ動作を行う押釦スイッチを備える。スイッチ本体４には、ハンドル５の裏面の突起５２（図３参照）に対応する位置にＴ字形の可動バー４４（図１参照）が設けられている。可動バー４４の一端部は前後方向に移動可能であり、操作検知部６３が備える押釦スイッチは可動バー４４の裏側に配置されている。ユーザによってハンドル５が押されると、ハンドル５の突起５２が可動バー４４を後方に押し、可動バー４４の裏面で押釦スイッチが押されるので、押釦スイッチの接点状態が変化する。例えば、ハンドル５が押されていない状態で押釦スイッチの接点状態がオフ状態であれば、ユーザによってハンドル５が押され、ハンドル５の突起５２で可動バー４４が押されると、押釦スイッチの接点状態がオフ状態からオン状態に変化する。これにより、操作検知部６３は、ユーザによるハンドル５の操作を検知することができ、ハンドル５の操作に応じた操作信号を本体側制御部６５に出力する。
【００２４】
発光部６４は、例えば緑色発光の発光ダイオードを備える。スイッチ本体４の前面には表示部４７が配置されている。表示部４７は発光部６４の発光を外部に出力する透光レンズからなる。表示部４７は、スイッチ本体４の前面において、スイッチ本体４の内部に収納された発光部６４の前方に位置しており、発光部６４の発光が表示部４７を通ってスイッチ本体４の外部に出力される。
【００２５】
本体側制御部６５は、例えば、プロセッサおよびメモリを有するマイクロコンピュータで構成されている。つまり、本体側制御部６５は、プロセッサおよびメモリを有するコンピュータシステムで実現されている。そして、プロセッサが適宜のプログラムを実行することにより、コンピュータシステムが本体側制御部６５として機能する。プログラムは、メモリに予め記録されていてもよいし、インターネット等の電気通信回線を通じて、又はメモリカード等の非一時的な記録媒体に記録されて提供されてもよい。
【００２６】
本体側制御部６５は、受光部６２が受光した制御信号、又は、操作検知部６３から入力される操作信号に応じて、半導体スイッチ６１のオン／オフを制御することで、負荷２００を点灯又は消灯する。本体側制御部６５は、半導体スイッチ６１のオン／オフを制御して位相制御を行うことで、負荷２００を調光することもできる。
【００２７】
また、本体側制御部６５は、発光部６４の点灯／消灯を制御することで、発光部６４（表示部４７）による表示内容を制御する。例えば、本体側制御部６５は、負荷２００の消灯時に発光部６４を点灯させ、負荷２００の点灯時に発光部６４を消灯させる。負荷２００の消灯時には発光部６４が点灯するので、ユーザは周囲が暗い場合でも発光部６４（表示部４７）の光で負荷制御装置１の位置を把握できる。また、本体側制御部６５は、例えばタイマ動作（負荷２００を一定時間点灯させる動作）を行う場合に、発光部６４を点滅させてもよく、ユーザは発光部６４（表示部４７）の点滅状態をもとに負荷制御装置１の動作状態を把握できる。
【００２８】
送信機３は、送信機側発光部７１と、操作受付部７２と、送信機側制御部７３とを備える。
【００２９】
送信機側発光部７１は、例えば赤外線を発光する発光ダイオードのような発光素子を備える。送信機側発光部７１は、赤外線のような光信号（ワイヤレス信号）を発光（出力）することによって、光信号からなる制御信号を本体部２に送信する。つまり、本実施形態の送信機側発光部７１は、本体部２との間で光を媒体とした無線通信を行う。
【００３０】
操作受付部７２はユーザによる操作を受け付ける。操作受付部７２は、複数（例えば５個）のスイッチを備える。送信機３の後面には、５個のスイッチにそれぞれ対応し、対応するスイッチを導通させるための５個の操作部３３１（図３参照）が設けられている。５個の操作部３３１は、例えば、点灯／消灯の切替ボタン、調光明ボタン、調光暗ボタン、調光点灯ボタン、タイマ点灯ボタンなどである。調光明ボタンは、負荷２００の点灯時の明るさを明るくするために操作されるボタンである。調光暗ボタンは、負荷２００の点灯時の明るさを暗くするために操作されるボタンである。調光点灯ボタンは、予め設定された調光レベルで負荷２００を点灯させるために操作されるボタンである。タイマ点灯ボタンは、負荷２００を一定時間点灯させた後に消灯させるタイマ点灯動作を行わせるために操作されるボタンである。
【００３１】
送信機側制御部７３は、例えば、プロセッサおよびメモリを有するマイクロコンピュータで構成されている。つまり、送信機側制御部７３は、プロセッサおよびメモリを有するコンピュータシステムで実現されている。そして、プロセッサが適宜のプログラムを実行することにより、コンピュータシステムが送信機側制御部７３として機能する。プログラムは、メモリに予め記録されていてもよいし、インターネット等の電気通信回線を通じて、又はメモリカード等の非一時的な記録媒体に記録されて提供されてもよい。
【００３２】
送信機側制御部７３は、操作受付部７２がユーザによる操作部３３１の操作を受け付けると、操作内容に応じた制御信号を送信機側発光部７１から無線信号で送信させる。つまり、送信機３は、送信機３の後面に設けられた操作部３３１を有し、送信機側発光部７１が操作部３３１の操作入力に応じた光信号を発光することによって、光信号で制御信号を送信する。したがって、操作部３３１を操作することで、送信機側発光部７１から受光部６２に操作部３３１の操作入力に応じた信号を送信させることができる。
【００３３】
（２．２）構造
次に、負荷制御装置１の各部の構造および動作について説明する。
【００３４】
（２．２．１）本体部
本体部２は、受光部６２を含むスイッチ本体４（固定部）と、ユーザの操作に応じて動作可能な状態でスイッチ本体に取り付けられるハンドル５（可動部）とを備える。
【００３５】
スイッチ本体４は箱型の器体４１を備える。器体４１は、後側のボディ４２と前側のカバー４３とを有する。ボディ４２およびカバー４３はそれぞれ合成樹脂の成形品である。器体４１はボディ４２とカバー４３とを結合して構成される。
【００３６】
カバー４３には、埋込式の配線器具を施工面に固定する場合に用いる取付枠８に着脱自在に取付可能とするために、左側の側面の上下に各一対の取付爪４５が設けられ、右側の側面の上下方向における中央部に一対の取付爪４５が設けられている。これにより、取付枠８の取付用孔８１に取付爪４５を挿入させることで、スイッチ本体４を取付枠８に取り付けることができ、スイッチ本体４を取付枠８を用いて壁面などの施工面１００に固定することができる（図４参照）。尚、取付枠８の前面にはプレート９が取り付けられ、プレート９の開口部９１から負荷制御装置１の前面（例えばハンドル５又は送信機３の前面）が露出する。
【００３７】
カバー４３の前面には、上下方向における中央部の右側寄りの部位に、上記の可動バー４４が設けられている。カバー４３の前面には可動バー４４の右側に貫通部が設けられ、この貫通部には表示部４７が配置されている。表示部４７は、透明な合成樹脂（例えばアクリル樹脂）で形成された透光レンズからなる。表示部４７の前面の形状は上下方向に長い長円形状である。尚、表示部４７は透光性を有していればよく、半透明の透光部材でもよいし、着色された透光部材でもよい。また、表示部４７は合成樹脂製に限定されず、ガラスなどで形成されてもよい。
【００３８】
カバー４３の前面には、上下方向における中央部の左端に、ハンドル５を回転可能な状態で支持する軸部４６が設けられている。カバー４３の前面の上部および下部には、ハンドル５を前側に押すばね片４８が、カバー４３と一体に設けられている。
【００３９】
カバー４３の前面には、軸部４６の下側に貫通孔４９が設けられている。貫通孔４９はカバー４３の前壁を前後方向に貫通する。器体４１の内部には、貫通孔４９に望むように受光部６２の受光素子６２１が配置されている。また、カバー４３の前面には、貫通孔４９の縁部に、受光部６２の受光素子６２１を囲む筒状のリブ４９１が設けられている。リブ４９１は、カバー４３（固定部）において、受光部６２に光信号が入射する入射方向Ｄ１（図７Ａ参照）と交差する平面、具体的には入射方向Ｄ１（前後方向）と直交するように交差する平面（前面）に設けられている。本実施形態では貫通孔４９は丸孔であり、リブ４９１は円筒状である。カバー４３の前面に筒状のリブ４９１が設けられているので、リブ４９１が無い場合に比べて、カバー４３の外部と受光素子６２１との間の沿面距離が長くなり、絶縁性が向上するという利点がある。
【００４０】
ハンドル５は、ハンドル本体５０と受光カバー５４とで構成される。
【００４１】
ハンドル本体５０は合成樹脂の成形品であり、ハンドル本体５０の前面視の形状は矩形状である。ハンドル本体５０の左側部の裏面には、軸部４６を回転可能な状態で支持する軸受部５１が設けられている（図２参照）。ハンドル本体５０の裏面には、可動バー４４に対向する部位に突起５２が設けられている。
【００４２】
ハンドル本体５０が器体４１に取り付けられた状態では、ハンドル本体５０（つまり、ハンドル５）は軸部４６を中心に回転可能である。ハンドル本体５０において軸部４６で支持された側と反対側（右側）の端部をユーザが押すと、ハンドル本体５０が軸部４６を中心に回転する。ハンドル本体５０の回転によってハンドル本体５０の突起５２が可動バー４４を押すと、器体４１に内蔵された押釦スイッチのオン／オフが変化する。その後、ユーザの手がハンドル本体５０から離れ、ハンドル本体５０を押す力がなくなると、ハンドル本体５０はばね片４８の弾性力を受けて前方に移動する。これにより、可動バー４４が元の位置に戻り、器体４１に内蔵された押釦スイッチのオン／オフが変化する。
【００４３】
ハンドル本体５０の前面の左端には、前側に突出する台状の載置部５３がハンドル本体５０と一体に設けられている。載置部５３には、カバー４３の貫通孔４９に対応する部位に、載置部５３を前後方向に貫通する貫通孔５３２（図１参照）が設けられている。貫通孔５３２には、スイッチ本体４に設けられたリブ４９１の少なくとも一部が挿入されるので、リブ４９１が載置部５３と干渉する可能性を低減できる。
【００４４】
受光カバー５４は、赤外光に対して透光性を有する合成樹脂で形成されている。受光カバー５４は上下方向に細長い帯板状であり、載置部５３の前面側に取り付けられている。受光カバー５４が載置部５３の前側に取り付けられることによって、貫通孔５３２が受光カバー５４によって覆われている。受光カバー５４は、載置部５３側の部位にレンズ５４１（図６参照）を有している。レンズ５４１は、受光カバー５４の載置部５３側の部位であって、貫通孔５３２に対応する部位を含む所定の範囲に設けられている。レンズ５４１は、前方から受光カバー５４に入射する光を、受光部６２の受光素子６２１に集光する機能を有している。また、受光カバー５４の右側面には、レンズ５４１に対応する部位に、横方向から入射した光を受光部６２の受光素子６２１に導くレンズ部５４２が設けられている。したがって、送信機３から送信された光信号（制御信号）は受光カバー５４を通って受光部６２に受光される。このように、受光部６２は受光カバー５４に覆われているので、外側から受光部６２を目立ちにくくできる。また、受光カバー５４の右側面の上部および下部には、突起５９がそれぞれ設けられている。
【００４５】
受光カバー５４の色は、送信機３の送信機本体３０の色と同系色であり、ハンドル本体５０の色とも同系色である。ここにおいて、「同系色」とは、例えば日本工業規格「ＪＩＳ  Ｚ８１０２  物体色の色名」に基づいたカラーチャートなどにおいて同じ色又は同じ色相と識別される色である。本実施形態では、受光カバー５４、ハンドル本体５０、送信機３の送信機本体３０の色は、例えば白色であるが、ベージュ、シルバー、グレー、ダークブラウンなどでもよい。受光カバー５４、ハンドル本体５０、送信機３の送信機本体３０の色を同系色とすることで、統一感のある配色を実現できる。
【００４６】
本実施形態では、受光カバー５４が配置される載置部５３に、受光カバー５４の裏面のレンズ５４１と対向する対向部位５３０（図１参照）の一部、すなわちスイッチ本体４のリブ４９１と干渉しない部位に遮光部５３１が設けられている。遮光部５３１はハンドル５と一体に設けられている。遮光部５３１にはスイッチ本体４のリブ４９１が挿入される上記の貫通孔５３２が設けられている。換言すれば、遮光部５３１は、リブ４９１の少なくとも一部が挿入される貫通孔５３２（孔）を有している。また、遮光部５３１は、受光カバー５４と対向する対向部位５３０において遮光部５３１の周囲（本実施形態では遮光部５３１の上下）には、受光カバー５４側に突出する突出部位５３３，５３４を有している。遮光部５３１は、対向部位５３０において遮光部５３１が設けられていない部位、つまり貫通孔５３２の孔内の空間に比べて、光の透過率が低くなっている。
【００４７】
ここにおいて、載置部５３においてレンズ５３１と対向する対向部位５３０には、受光部６２の周りを囲むリブ４９１が挿入されるので、寸法精度や組立時の干渉などを考慮すると、対向部位５３０の全体に孔を開けるのが好ましい。対向部位５３０に遮光部５３１が設けられておらず、対向部位５３０の全体が孔になっている場合、孔の部分が暗くなり、突出部位５３３，５３４の表面との間で明るさに差が発生する。そのため、対向部位５３０の全体が孔になっている場合、受光カバー５４の表面において、突出部位５３３，５３４に対応する部位と、対向部位５３０に対応する部位との間で明るさに差ができ、対向部位５３０に対応する部位が暗く見える可能性がある。対向部位５３０の全体が孔になっている場合、対向部位５３０に対応する部位が暗く見えないようにするため、受光カバー５４の全体をハンドル本体５０よりも暗めの色にする必要がある。それに対して、本実施形態では、対向部位５３０において、リブ４９１が挿入される貫通孔５３２以外の部位に遮光部５３１が形成されているので、対向部位５３０の全体に孔があいている場合に比べて受光カバー５４の表面において明るさのむらを低減できる。よって、受光カバー５４を、ハンドル本体５０と同系色とした場合でも、受光カバー５４の表面において明るさにむらができにくくなる。
【００４８】
尚、本実施形態では、リブ４９１と貫通孔５３２の内面との間ができるように、リブ４９１及び貫通孔５３２の寸法が設定されているので、図７Ａに示すように、リブ４９１がハンドル本体５０とが干渉することはない。また、図７Ｂに示すように、ハンドル５の右側の端部が押されてハンドル５が回転した場合でも、リブ４９１と貫通孔５３２の内面とが干渉する可能性を低減できる。
【００４９】
また、本実施形態では、載置部５３に前方に突出する突出部位５３３，５３４が設けられている。したがって、前後方向において、受光カバー５４の表面（前面）と突出部位５３３，５３４の表面（前面）との間の距離よりも、受光カバー５４の表面と載置部５３の対向部位５３０の表面（前面）との間の距離を長くできる。これにより、受光カバー５４の表面と載置部５３の対向部位５３０の表面との間にレンズ５３１を配置する空間を確保できる。
【００５０】
また、本実施形態では、図７Ａに示すように、受光部６２の受光素子６２１に光が入射する入射方向Ｄ１において、リブ４９１の前端が遮光部５３１の前面５３１ａと同じ位置にあるか、リブ４９１の前端４９２が遮光部５３１の前面５３１ａよりも後側にある。ここで、入射方向Ｄ１において、リブ４９１の前端４９２が遮光部５３１の前面５３１ａよりも後側にあるとは、リブ４９１の前端４９２が、遮光部５３１の前面５３１ａに比べて受光素子６２１に近い位置にあることを意味する。すなわち、受光素子６２１からリブ４９１の前端４９２までの距離（第３距離）が、受光素子６２１から遮光部５３１の前面５３１ａまでの距離（第４距離）よりも短いことを意味する。これにより、ハンドル５の右側の端部が押されてハンドル５が回転した場合でも、リブ４９１と、受光カバー５４とが干渉する可能性を低減できる。
【００５１】
ハンドル５の前面の右側には、器体４１の表示部４７と対向する部位に、ハンドル５を前後方向に貫通する貫通孔５６が設けられている。ハンドル５の裏面には透光レンズ５７（図３参照）が取り付けられている。透光レンズ５７は透明な合成樹脂（例えばアクリル樹脂など）の成形品からなる。透光レンズ５７は、前面視の形状が上下方向に長い長円形状である突出部５７１を備える。透光レンズ５７は、突出部５７１が貫通孔５６に挿入された状態でハンドル５の裏面に固定されている。これにより、ハンドル５が器体４１に取り付けられた状態では、表示部４７の発光が透光レンズ５７を通して前側に照射される。
【００５２】
また、本実施形態では、可動部であるハンドル５は、ある方向（本実施形態ではハンドル５の短手方向であって、左右方向と平行な方向）における一方の端部（左端部）側で、固定部であるスイッチ本体４に対して回転可能に支持されている。そして、ハンドル５は、上記の方向における他方の端部（右端部）に透光レンズ５７を有している。これにより、ハンドル５において回転可能に支持されている端部と反対側の端部にある透光レンズ５７を通して表示部４７の光が出力される。したがって、送信機３がハンドル５から外されている状態では、ユーザは、透光レンズ５７を通して出力される光をもとに、ハンドル５を押し操作する端部を判別することができる。
【００５３】
尚、透光レンズ５７は透明な透光部材に限定されず、半透明の透光部材でもよいし、着色された透光部材でもよい。また、透光レンズ５７は合成樹脂製のレンズに限定されず、ガラスなどで形成されてもよい。
【００５４】
また、ハンドル５の右側部の裏面には、送信機３に内蔵された磁石の磁力によって吸引される鉄片が取り付けられている。送信機３が磁石を有しているので、送信機３を鉄などの強磁性体で形成された部位に取り付けて使用することもできる。尚、本実施形態では、ハンドル５に鉄片からなる被吸引部材が取り付けられているが、被吸引部材の鉄製のものに限定されず、鉄などの強磁性体の金属やその合金で形成されてもよい。
【００５５】
（２．２．２）送信機
次に、送信機３の構造について図１及び図３に基づいて説明する。
【００５６】
送信機３は、合成樹脂の成形品である送信機本体３０を備える。送信機３は、可動部であるハンドル５に着脱可能である。ハンドル５に送信機３を保持させることで、ハンドル５以外の部位に送信機３を保持させる場合に比べて、負荷制御装置１の前面の大きさを小さくできる。
【００５７】
送信機本体３０は扁平な直方体状に形成されている。送信機本体３０の前面の形状および大きさは、ハンドル５の前面において載置部５３を除いた部位とほぼ同じ形状および大きさである。送信機本体３０の内部には、送信機側発光部７１、操作受付部７２、及び送信機側制御部７３等の回路が形成されたプリント配線基板と、電源であるボタン電池のような電池とが収納される。送信機本体３０の上側の側面には、送信機側発光部７１が備える発光ダイオードを露出させるための貫通孔３０３が設けられている。
【００５８】
送信機本体３０の後部にはメンブレンシート３３が貼り付けられている。メンブレンシート３３は、透明な合成樹脂により板状に形成されており、可撓性を有している。メンブレンシート３３において、ハンドル５に設けられた透光レンズ５７の突出部５７１と対応する透光領域３３２は透明である。また、メンブレンシート３３において透光領域３３２以外の部位は白色である。
【００５９】
メンブレンシート３３の表面には、それぞれドーム状に突出する５個の操作部３３１が設けられている。メンブレンシート３３には、５個の操作部３３１の裏側にそれぞれ導電性インクを塗布することによって円形の可動接点が形成されている。一方、送信機本体３０の内部に収納されたプリント配線基板には、５個の操作部３３１のそれぞれに対応する部位に、一対の固定接点が例えばカーボンペーストを印刷することによって形成されている。ここにおいて、一対の固定接点と可動接点とでスイッチが構成される。
【００６０】
ユーザが操作部３３１を押して、操作部３３１の裏側に形成された可動接点を一対の固定接点と接触させると、一対の固定設定が可動接点を介して電気的に接続されるので、スイッチがオンになる。一方、操作部３３１が押されていない状態では、一対の固定接点が電気的に開放された状態となり、スイッチがオフになる。送信機３の操作受付部７２は、５個のスイッチのオン／オフの状態を監視しており、スイッチがオンになると操作信号を送信機側制御部７３に出力する。送信機側制御部７３は、操作受付部７２から操作信号を受け付けると、ユーザの操作に応じた制御信号を送信機側発光部７１からスイッチ本体４に送信させる。
【００６１】
また、送信機本体３０の前面には、透光性を有する合成樹脂（例えばアクリル樹脂など）で形成された化粧板３１が、接着、超音波溶着などの方法で取り付けられる。送信機本体３０には、ハンドル５の突出部５７１に対応する部位に、送信機本体３０を前後方向に貫通する貫通孔が設けられている。化粧板３１の後面には、この貫通孔３０３に挿入されるレンズ部が一体に設けられている。化粧板３１の前面には、レンズ部に対応する部位に、前方に突出する突出部３１１が設けられている。ここにおいて、レンズ部と突出部３１１とで、表示部４７の光を送信機３の前側に導く導光部３５が構成される。導光部３５は、送信機３の後面側から前面側に光を導いており、送信機３の後面側から入射した光を前面側から出力することができる。化粧板３１は、例えば二色成型の技術を利用して製造される。例えば、レンズ部を最初に成型し、レンズ部の一端側に板状部分を成型することで、化粧板３１を一体に形成することができる。
【００６２】
送信機本体３０の内部には、ハンドル５に取り付けられた鉄片に対応する位置に磁石が収納される。磁石は、例えばネオジウム磁石やコバルト磁石などの希土類磁石である。
【００６３】
また、送信機本体３０の左側面の上部および下部には、ハンドル５の受光カバー５４に設けられた突起５９が挿入される溝３０２（図３参照）が設けられている。
【００６４】
（２．３）負荷制御装置の使用方法
本実施形態の負荷制御装置１は、施工面１００に固定されて使用される。スイッチ本体４は取付枠８を用いて施工面１００に固定され、取付枠８の前側にはプレート９が取り付けられる。スイッチ本体４にはハンドル５が回転可能な状態で取り付けられる。ハンドル５には送信機３が取り付けられる。送信機３は、ハンドル５の突起５９に送信機本体３０の左側面の溝３０２を合わせた状態でハンドル５に取り付けられ、送信機３に収納された磁石の磁力によってハンドル５に保持される。
【００６５】
送信機３がハンドル５に取り付けられた状態で、送信機３の右側を押すと、送信機３とともにハンドル５が回転し、ハンドル５の突起５２で可動バー４４が押され、可動バー４４の裏面で器体４１に収納された押釦スイッチが押される。これにより、押釦スイッチの接点状態が変化し、本体側制御部６５が半導体スイッチ６１のオン／オフを制御して、負荷２００を点灯又は消灯させる。
【００６６】
ここで、本体側制御部６５は、例えば負荷２００の消灯時に発光部６４を点灯させており、発光部６４の光が表示部４７から前側に出力される。ハンドル５には、表示部４７から前方に出力される光を前面に導く透光レンズ５７が設けられている。ハンドル５に取り付けられる送信機３には、透光レンズ５７を通って前方に出力される光を前面に導く導光部３５が設けられている。したがって、表示部４７から前側に出力される光はハンドル５の透光レンズ５７と導光部３５とを通って送信機３の前側に導かれ、突出部３１１から送信機３の前方に照射される。これにより、ユーザは、送信機３の突出部３１１（導光部３５）を通して表示部４７（発光部６４）の光を確認でき、表示部４７の表示を確認できる。
【００６７】
送信機３を用いて負荷２００を点灯又は消灯させる場合、送信機３をハンドル５から取り外して使用する。ユーザが送信機３の裏面の操作部３３１を押すと、操作受付部７２から送信機側制御部７３に操作に応じた操作信号が出力される。送信機側制御部７３は、操作受付部７２から入力される操作信号に応じた制御信号を送信機側発光部７１から送信させる。受光部６２が送信機３から送信された制御信号を受信すると、本体側制御部６５は、受光部６２が受信した制御信号に応じて半導体スイッチ６１のオン／オフを制御し、負荷２００を点灯又は消灯させる。ここで、本体側制御部６５は、例えば負荷２００の消灯時に発光部６４を点灯させており、発光部６４の発光で表示部４７を光らせることで、負荷制御装置１の設置位置を表示する。また、本体側制御部６５は、タイマ動作の実行中は発光部６４を点滅させており、発光部６４の光で表示部４７を点滅させることで、負荷制御装置１の動作状態を表示する。尚、送信機３がハンドル５から取り外されている場合、表示部４７の発光はハンドル５の透光レンズ５７を通して、ハンドル５の前方に導かれる。したがって、ユーザは、ハンドル５の透光レンズ５７の突出部５７１を通して表示部４７の発光を確認でき、表示部４７の表示を確認できる。
【００６８】
本実施形態では、施工面に固定される本体部２に送信機３が着脱可能に設けられているので、ユーザは、本体部２から取り外した送信機３を所望の場所に移動させて使用することができる。
【００６９】
（３）変形例
上記実施形態は、本開示の様々な実施形態の一つに過ぎない。上記実施形態は、本開示の目的を達成できれば、設計等に応じて種々の変更が可能である。
【００７０】
以下、上記の実施形態の変形例を列挙する。以下に説明する変形例は、適宜組み合わせて適用可能である。
【００７１】
（３．１）変形例１
上記実施形態の変形例１を図８に基づいて説明する。
【００７２】
変形例１の負荷制御装置１は、受光部６２を囲むリブ４９１Ａの厚みが一様ではない点で、上記実施形態と相違する。尚、上記実施形態と共通する構成要素には同一の符号を付してその説明は省略する。
【００７３】
スイッチ本体４（固定部）のカバー４３は、受光部６２（受光素子６２１）に光信号が入射する入射方向（前後方向）と交差する平面（カバー４３の前面）において、受光部６２を囲む筒状のリブ４９１Ａを備えている。
【００７４】
スイッチ本体４に取り付けられるハンドル５（可動部）には、送信機３が載置部５３と並ぶように取り付けられている。
【００７５】
そして、リブ４９１Ａは、前側から見た場合に、ハンドル５に取り付けられた送信機３からの距離が第１距離Ｌ１である第１部位４９３と、ハンドル５に取り付けられた送信機３からの距離が第２距離Ｌ２である第２部位４９４とで厚みが異なっている。ここで、第２距離Ｌ２は第１距離Ｌ１よりも長く、本実施形態では、リブ４９１Ａの左端部分である第２部位４９４に比べて、リブ４９１Ａの右端部分である第１部位４９３の方が厚みが薄くなっている。これにより、ハンドル５の右側の端部が押されることで、ハンドル５が回転した場合でも、リブ４９１Ａとハンドル５（ハンドル本体５０の貫通孔５３２の周縁部）とが干渉する可能性を低減できる。
【００７６】
（３．２）変形例２
上記実施形態の変形例２を図９に基づいて説明する。
【００７７】
変形例２の負荷制御装置１は、受光部６２を囲むリブ４９１Ｂの一部に、入射方向Ｄ１に沿って延びる溝４９５が設けられた点で上記実施形態と相違する。尚、上記実施形態と共通する構成要素には同一の符号を付してその説明は省略する。
【００７８】
溝４９５は、リブ４９１Ｂの前端から後端にかけて入射方向Ｄ１に沿って延びるように設けられている。溝４９５は、リブ４９１Ｂを厚み方向（円筒状のリブ４９１Ｂの径方向）において貫通するように設けられている。本実施形態のリブ４９１Ｂでは、前面視においてハンドル５に取り付けられた送信機３の左端部からの距離が最も短い部位（つまり右側部）に溝４９５が設けられている。
【００７９】
このように、リブ４９１Ｂには溝４９５が設けられているので、溝４９５が無い場合に比べて、リブ４９１Ｂが載置部５３（載置部５３における貫通孔５３２の周縁部）と干渉する可能性を低減できる。
【００８０】
（３．３）その他の変形例
上記実施形態の負荷制御装置１は施工面１００に固定される配線器具であるが、負荷制御装置１は施工面１００に固定されるものに限定されない。負荷制御装置１は施工面１００などに固定されておらず、自由な場所に配置されて使用されるものでもよい。
【００８１】
上記実施形態では、本体側制御部６５は、負荷２００の消灯時に発光部６４（表示部４７）を点灯させ、タイマ動作時に発光部６４を点滅させているが、例えば負荷２００の消灯時とタイマ動作時とで発光部６４の発光色を変えて表示を行ってもよい。
【００８２】
また、負荷制御装置１の制御対象の負荷は照明負荷に限定されず、換気扇などでもよい。
【００８３】
（まとめ）
以上説明したように、第１の態様に係る負荷制御装置（１）は、負荷（２００）を制御する制御部（６５）を有する本体部（２）と、本体部（２）に着脱可能である送信機（３）と、を備える。本体部（２）は、送信機（３）から送信された光信号を受光する受光部（６２）と、受光部（６２）を覆う受光カバー（５４）と、受光カバー（５４）が配置される載置部（５３）と、を備える。受光カバー（５４）は、載置部（５３）側の部位にレンズ（５４１）を有する。載置部（５３）は、レンズ（５４１）と対向する対向部位（５３０）の一部に遮光部（５３１）を有する。遮光部（５３１）は、対向部位（５３０）において遮光部（５３１）が設けられていない部位（５３２）に比べて、光の透過率が低い。
【００８４】
この態様によれば、載置部（５３）においてレンズ（５４１）と対向する対向部位（５３０）の一部に設けられた遮光部（５３１）は、対向部位（５３０）において遮光部（５３１）が設けられていない部位（貫通孔５３２）よりも光の透過率が低い。したがって、受光カバー（５４）の表面において、裏側にレンズ（５４１）が設けられている部位と、裏側にレンズ（５４１）が設けられていない部位とで、明るさのむらが低減できるので、受光カバー（５４）の表面において明るさのむらを低減可能な負荷制御装置（１）を提供できる。
【００８５】
第２の態様に係る負荷制御装置（１）では、第１の態様において、本体部（２）は、受光部（６２）を含む固定部（４）と、ユーザの操作に応じて動作可能な状態で固定部（４）に取り付けられる可動部（５）とを有する。固定部（４）は、受光部（６２）に光信号が入射する入射方向（Ｄ１）と交差する平面（５０ａ）において、受光部（６２）を囲む筒状のリブ（４９１，４９１Ａ，４９１Ｂ）を有する。
【００８６】
この態様によれば、リブ（４９１，４９１Ａ，４９１Ｂ）を設けることで、固定部（４）の外部と受光部（６２）との間の沿面距離が長くなるので、絶縁性の向上を図ることができる。
【００８７】
第３の態様に係る負荷制御装置（１）では、第２の態様において、遮光部（５３１）は、リブ（４９１，４９１Ａ，４９１Ｂ）の少なくとも一部が挿入される孔（５３２）を有する。
【００８８】
この態様によれば、リブ（４９１，４９１Ａ，４９１Ｂ）が載置部（５３）と干渉する可能性を低減できる。
【００８９】
第４の態様に係る負荷制御装置（１）では、第２又は第３の態様において、送信機（３）は、可動部（５）に対して、載置部（５３）と並ぶように取り付けられる。リブ（４９１，４９１Ａ，４９１Ｂ）は、可動部（５）に取り付けられた送信機（３）からの距離が第１距離（Ｌ１）である第１部位（４９３）と、可動部（５）に取り付けられた送信機（３）からの距離が第２距離（Ｌ２）である第２部位（４９４）とで厚みが異なる。第２距離（Ｌ２）は第１距離（Ｌ１）よりも長い。
【００９０】
この態様によれば、第１部位（４９３）及び第２部位（４９４）の一方に比べて、第１部位（４９３）及び第２部位（４９４）の他方の厚みが薄くなるので、載置部（５３）と干渉する可能性を低減できる。
【００９１】
第５の態様に係る負荷制御装置（１）では、第２〜第４のいずれかの態様において、リブ（４９１，４９１Ａ，４９１Ｂ）の一部に、入射方向（Ｄ１）に沿って延びる溝（４９５）が設けられる。
【００９２】
この態様によれば、リブ（４９１，４９１Ａ，４９１Ｂ）の一部に溝（４９５）が設けられているので、溝（４９５）が無い場合に比べて、リブ（４９１，４９１Ａ，４９１Ｂ）が載置部（５３）と干渉する可能性を低減できる。
【００９３】
第６の態様に係る負荷制御装置（１）では、第２〜第５のいずれかの態様において、入射方向（Ｄ１）において、リブ（４９１，４９１Ａ，４９１Ｂ）の前端（４９２）が、遮光部（５３１）の前面（５３１ａ）と同じ位置にあるか、又は、遮光部（５３１）の前面（５３１ａ）よりも後側にある。
【００９４】
この態様によれば、可動部（５）が動いた場合でも、リブ（４９１，４９１Ａ，４９１Ｂ）の前端（４９２）が、受光カバー（５４）と干渉する可能性を低減できる。
【００９５】
第７の態様に係る負荷制御装置（１）では、第１〜第６のいずれかの態様において、受光カバー（５４）が送信機（３）と同系色である。
【００９６】
この態様によれば、受光カバー（５４）の表面と送信機（３）の表面とで色の違いを低減でき、統一感のある配色を実現できる。
【００９７】
第８の態様に係る負荷制御装置（１）では、第１〜第７のいずれかの態様において、載置部（５３）の対向部位（５３０）において遮光部（５３１）の周囲に、受光カバー（５４）側に突出する突出部位（５３３，５３４）を有する。
【００９８】
この態様によれば、受光カバー（５４）の表面と突出部位（５３３，５３４）の表面との間の距離よりも、受光カバー（５４）の表面と載置部（５３）の対向部位（５３０）の表面との間の距離を長くできる。したがって、受光カバー（５４）の表面と載置部（５３）の対向部位（５３０）の表面との間にレンズ（５３１）を配置する空間を確保できる。
【００９９】
第２〜第８の態様に係る構成については、負荷制御装置（１）に必須の構成ではなく、適宜省略可能である。
【符号の説明】
【０１００】
１  負荷制御装置
２  本体部
３  送信機
４  スイッチ本体（固定部）
５  ハンドル（可動部）
５０ａ  平面
５３  載置部
５４  受光カバー
６２  受光部
６５  本体側制御部（制御部）
２００  負荷
４９１  リブ
４９２  リブの前端
４９３  第１部位
４９４  第２部位
４９５  溝
５３０  対向部位
５３１  遮光部
５３１ａ  前面
５３２  貫通孔（孔）
５３３，５３４  突出部位
５４１  レンズ
Ｄ１  入射方向
Ｌ１  第１距離
Ｌ２  第２距離
【図１】
2019149254.tif 000003
【図２】
2019149254.tif 000004
【図３】
2019149254.tif 000005
【図４】
2019149254.tif 000006
【図５】
2019149254.tif 000007
【図６】
2019149254.tif 000008
【図７】
2019149254.tif 000009
【図８】
2019149254.tif 000010
【図９】
2019149254.tif 000011